(57)【要約】【課題】擁壁高さの大なる盛土構造物を確実且つ容易に然も安全に施工でき、又、施工コストの低減と工期の短縮を期し得る盛土構造の提供。【解決手段】施工空間に構築した擁壁９の内側で発泡樹脂ブロック１１を積み重ねる盛土構造である。擁壁９は垂直壁部１３の下端部で水平板部１５が突設されたＬ字状の擁壁ブロック７を積重して構築する。上下の擁壁ブロック７，７の上下の垂直壁部１３，１３間に、上下幅が５〜５０ｍｍの間隙Ｇを形成する。水平板部１５の先端で突設した突き出し鉄筋６５を介して中間床版７６を構築する。垂直壁部１３の内面の両側部位に、ガイドプレート４２，４２の下端側４３，４３を固定する。その上端側５３，５３は、上に位置する擁壁ブロック７の垂直壁部１３を、その垂直な内面の下端両側部分を当接状態に下方向に案内させる。上端側５３には、上に位置する擁壁ブロック７の垂直壁部１３に螺合される固定ボルト５７を挿通させる。【選択図】図１
2008150935.tif 000002
【特許請求の範囲】
【請求項１】
施工空間に構築した擁壁の内側で発泡樹脂ブロックを積み重ねることによって盛土構造物を構築する盛土構造であって、
前記擁壁は、垂直壁部の下端部で水平板部が突設されてなるＬ字状の擁壁ブロックを、該水平板部を同一側に向け且つ上下の水平板部を平行状態にして積重することにより構築されるようになされており、
上下の擁壁ブロックは、下の擁壁ブロックの垂直壁部上で上の擁壁ブロックの垂直壁部が上方に垂直状態で延長され且つ上下の垂直壁部相互間に、上下幅が５〜５０ｍｍの間隙が形成されるようになされており、
又、上に位置する擁壁ブロックの水平板部は、下に位置する擁壁ブロックの前記垂直壁部の内側で発泡樹脂ブロックを積重して構成してなる軽量盛土の水平な上面に載置されると共に、該上面で、上に位置する各擁壁ブロックの水平板部の先端に連続するように中間床版が設けられ、該水平板部と該中間床版とは、両者の接合部が上下方向及び水平方向で分離しないように、連結部を介して連結されており、
又、前記下に位置する擁壁ブロックの前記垂直壁部に関しその垂直な内面の上端両側部位に、該垂直壁部の上端の上方に延長するガイドプレートの下端側が固定されており、乃至、固定されるものとなされており、その上端側は、前記上に位置する擁壁ブロックの前記垂直壁部に関し、その垂直な内面の下端両側部分を当接状態に下方向に案内できるようになされており、又該上端側には、前記上に位置する擁壁ブロックの前記垂直壁部に螺合される固定ボルトを挿通させる上下に長い長孔としてのボルト孔が設けられており、該固定ボルトは、前記中間床版を構築するに先立って締め付けられることにより該上端側を該垂直壁部に固定できる一方、該中間床版を構築した後は、緩められることにより、該長孔を挿通する前記固定ボルトが該長孔内において、前記間隙の上下幅に相当する分、下降可能となされていることを特徴とする盛土構造物を構築する盛土構造。
【請求項２】
施工空間に構築した擁壁の内側で発泡樹脂ブロックを積み重ねることによって盛土構造物を構築する盛土構造であって、
前記擁壁は、垂直壁部の下端部で水平板部が突設されてなるＬ字状の擁壁ブロックを、該水平板部を同一側に向け且つ上下の水平板部を平行状態にして積重することにより構築されるようになされており、
上下の擁壁ブロックは、下の擁壁ブロックの垂直壁部上で上の擁壁ブロックの垂直壁部が上方に垂直状態で延長され且つ上下の垂直壁部相互間に、上下幅が５〜５０ｍｍの間隙が形成されるようになされており、
又、上に位置する擁壁ブロックの水平板部は、下に位置する擁壁ブロックの前記垂直壁部の内側で発泡樹脂ブロックを積重して構成してなる軽量盛土の水平な上面に載置されると共に、該上面で、上に位置する各擁壁ブロックの水平板部の先端に連続するように、該先端で突設された突き出し鉄筋としての連結部を介して、コンクリート打設によって中間床版が設けられており、
又、前記下に位置する擁壁ブロックの前記垂直壁部に関しその垂直な内面の上端両側部位に、該垂直壁部の上端の上方に延長するガイドプレートの下端側が固定されており、乃至、固定されるものとなされており、その上端側は、前記上に位置する擁壁ブロックの前記垂直壁部に関し、その垂直な内面の下端両側部分を当接状態に下方向に案内できるようになされており、又該上端側には、前記上に位置する擁壁ブロックの前記垂直壁部に螺合される固定ボルトを挿通させる上下に長い長孔としてのボルト孔が設けられており、該固定ボルトは、前記中間床版を構築するに先立って締め付けられることにより該上端側を該垂直壁部に固定できる一方、該中間床版を構築した後は、緩められることにより、該長孔を挿通する前記固定ボルトが該長孔内において、前記間隙の上下幅に相当する分、下降可能となされていることを特徴とする盛土構造物を構築する盛土構造。
【請求項３】
施工空間に構築した擁壁の内側で発泡樹脂ブロックを積み重ねることによって盛土構造物を構築する盛土構造であって、
前記擁壁は、垂直壁部の下端部で水平板部が突設されてなるＬ字状の擁壁ブロックを、該水平板部を同一側に向け且つ上下の水平板部を平行状態にして積重することにより構築されるようになされており、
上下の擁壁ブロックは、下の擁壁ブロックの垂直壁部上で上の擁壁ブロックの垂直壁部が上方に垂直状態で延長され且つ上下の垂直壁部相互間に、上下幅が５〜５０ｍｍの間隙が形成されるようになされており、
又、上に位置する擁壁ブロックの水平板部は、下に位置する擁壁ブロックの前記垂直壁部の内側で発泡樹脂ブロックを積重して構成してなる軽量盛土の水平な上面に載置されると共に、該上面で、上に位置する各擁壁ブロックの水平板部の先端に連続するように中間床版が設けられ、該水平板部と該中間床版とは、両者の接合部が上下方向及び水平方向で分離しないように、連結部を介して連結されており、
又、前記下に位置する擁壁ブロックの前記垂直壁部に関しその垂直な内面の上端両側部位に、該垂直壁部の上端の上方に延長するガイドプレートの下端側が固定されており、乃至固定されるようになされると共に、その上端側は、前記上に位置する擁壁ブロックの前記垂直壁部に関し、その垂直な内面の下端両側部分を当接状態に下方向に案内できるようになされており、又該上端側には、前記上に位置する擁壁ブロックの前記垂直壁部に螺合される固定ボルトを挿通させるボルト孔が設けられており、該固定ボルトは、前記中間床版を構築するに先立って締め付けられることにより該上端側を該垂直壁部に固定できる一方、該中間床版を構築した後は、取り外されることを特徴とする盛土構造物を構築する盛土構造。
【請求項４】
施工空間に構築した擁壁の内側で発泡樹脂ブロックを積み重ねることによって盛土構造物を構築する盛土構造であって、
前記擁壁は、垂直壁部の下端部で水平板部が突設されてなるＬ字状の擁壁ブロックを、該水平板部を同一側に向け且つ上下の水平板部を平行状態にして積重することにより構築されるようになされており、
上下の擁壁ブロックは、下の擁壁ブロックの垂直壁部上で上の擁壁ブロックの垂直壁部が上方に垂直状態で延長され且つ上下の垂直壁部相互間に、上下幅が５〜５０ｍｍの間隙が形成されるようになされており、
又、上に位置する擁壁ブロックの水平板部は、下に位置する擁壁ブロックの前記垂直壁部の内側で発泡樹脂ブロックを積重して構成してなる軽量盛土の水平な上面に載置されると共に、該上面で、上に位置する各擁壁ブロックの水平板部の先端に連続するように、該先端で突設された突き出し鉄筋としての連結部を介して、コンクリート打設によって中間床版が設けられており、
又、前記下に位置する擁壁ブロックの前記垂直壁部に関しその垂直な内面の上端両側部位に、該垂直壁部の上端の上方に延長するガイドプレートの下端側が固定されており、乃至固定されるようになされると共に、その上端側は、前記上に位置する擁壁ブロックの前記垂直壁部に関し、その垂直な内面の下端両側部分を当接状態に下方向に案内できるようになされており、又該上端側には、前記上に位置する擁壁ブロックの前記垂直壁部に螺合される固定ボルトを挿通させるボルト孔が設けられており、該固定ボルトは、前記中間床版を構築するに先立って締め付けられることにより該上端側を該垂直壁部に固定できる一方、該中間床版を構築した後は、取り外されることを特徴とする盛土構造物を構築する盛土構造。
【請求項５】
前記垂直壁部の前記内面の上端両側部位にボルト軸が突設されると共に、前記ガイドプレートの下端側に、該ボルト軸を挿通させる挿通孔が設けられており、該挿通したボルト軸にナットを螺合し締め付けることにより該ガイドプレートの下端側を前記垂直壁部の前記内面に固定可能とされていることを特徴とする請求項１、２、３、又は４記載の盛土構造物を構築する盛土構造。
【請求項６】
前記間隙に軟質のスポンジが密着状態に介在されていることを特徴とする請求項１〜５の何れかに記載の盛土構造物を構築する盛土構造。
【請求項７】
垂直壁部の下端部で水平板部が突設されてなるＬ字状を呈するブロック本体の、該垂直壁部の内面の上端両側部位に、該垂直壁部の上端の上方に延長するガイドプレートの下端側が固定されており、該垂直壁部の下端両側部に、前記ガイドプレートの上端側を上方向に通過させることのできる通過部が設けられており、該通過部の外側の面は、前記ガイドプレートの上端側の外側の垂直な面に当接し得る垂直面に形成されており、該上端側には、前記垂直壁部に螺合される固定ボルトを挿通させるボルト孔が設けられていることを特徴とする盛土構造構成用の擁壁ブロック。
【請求項８】
前記ボルト孔は、上下に長い長孔として形成されていることを特徴とする請求項７記載の盛土構造構成用の擁壁ブロック。
【請求項９】
施工空間に構築した擁壁の内側で発泡樹脂ブロックを積み重ねることによって盛土構造物を構築する盛土構造物の構築工法であって、
前記擁壁は、垂直壁部の下端部で水平板部が突設されてなるＬ字状の擁壁ブロックを、該水平板部を同一側に向け且つ上下の水平板部を平行状態にして積重することにより構築するものであり、前記擁壁ブロックの積重は、下の擁壁ブロックの垂直壁部上で上の擁壁ブロックの垂直壁部を上方に垂直状態で延長して行ない、且つ、上下の垂直壁部相互間に、上下幅が５〜５０ｍｍの間隙を形成して行ない、又、上に位置する擁壁ブロックの水平板部は、下に位置する擁壁ブロックの前記垂直壁部の内側で発泡樹脂ブロックを積重して構成してなる軽量盛土の水平な上面に載置し、該上面で、上に位置する各擁壁ブロックの水平板部の先端に連続するように中間床版を設け、その際、該水平板部と該中間床版とを、両者の接合部が上下方向及び水平方向で分離しないように、連結部を介して連結し、
下の擁壁ブロックの垂直壁部上で上の擁壁ブロックの垂直壁部を上方に垂直状態で延長させる際、予め、前記垂直壁部の内面の上端両側部位に、該垂直壁部の上端の上方に延長するガイドプレートの下端側を固定状態としておき、該ガイドプレートの上端側の垂直な外面部を、前記上に位置する擁壁ブロックの前記垂直壁部の垂直な内面の下端両側部分と当接状態にして該下端両側部分を下方向に案内させるものとし、上に位置する前記擁壁ブロックの水平板部を前記軽量盛土の水平な上面に載置した後、前記上端側に設けた上下に長い長孔を挿通した固定ボルトを締め付けて該上端側を前記垂直壁部に固定し、その後、前記中間床版を構築し、該中間床版を構築した後に該固定ボルトを緩めることを特徴とする盛土構造物の構築工法。
【請求項１０】
施工空間に構築した擁壁の内側で発泡樹脂ブロックを積み重ねることによって盛土構造物を構築する盛土構造物の構築工法であって、
前記擁壁は、垂直壁部の下端部で水平板部が突設されてなるＬ字状の擁壁ブロックを、該水平板部を同一側に向け且つ上下の水平板部を平行状態にして積重することにより構築するものであり、前記擁壁ブロックの積重は、下の擁壁ブロックの垂直壁部上で上の擁壁ブロックの垂直壁部を上方に垂直状態で延長して行ない、且つ、上下の垂直壁部相互間に、上下幅が５〜５０ｍｍの間隙を形成して行ない、又、上に位置する擁壁ブロックの水平板部は、下に位置する擁壁ブロックの前記垂直壁部の内側で発泡樹脂ブロックを積重して構成してなる軽量盛土の水平な上面に載置し、該上面で、上に位置する各擁壁ブロックの水平板部の先端に連続するように、該先端で突設された突き出し鉄筋としての連結部を介して、コンクリートの打設によって中間床版を設け、
下の擁壁ブロックの垂直壁部上で上の擁壁ブロックの垂直壁部を上方に垂直状態で延長させる際、予め、前記垂直壁部の内面の上端両側部位に、該垂直壁部の上端の上方に延長するガイドプレートの下端側を固定状態としておき、該ガイドプレートの上端側の垂直な外面部を、前記上に位置する擁壁ブロックの前記垂直壁部の垂直な内面の下端両側部分と当接状態にして該下端両側部分を下方向に案内させるものとし、上に位置する前記擁壁ブロックの水平板部を前記軽量盛土の水平な上面に載置した後、前記上端側に設けた上下に長い長孔を挿通した固定ボルトを締め付けて該上端側を前記垂直壁部に固定し、その後、前記中間床版を構築し、該中間床版を構築した後に該固定ボルトを緩めることを特徴とする盛土構造物の構築工法。
【請求項１１】
施工空間に構築した擁壁の内側で発泡樹脂ブロックを積み重ねることによって盛土構造物を構築する盛土構造物の構築工法であって、
前記擁壁は、垂直壁部の下端部で水平板部が突設されてなるＬ字状の擁壁ブロックを、該水平板部を同一側に向け且つ上下の水平板部を平行状態にして積重することにより構築するものであり、前記擁壁ブロックの積重は、下の擁壁ブロックの垂直壁部上で上の擁壁ブロックの垂直壁部を上方に垂直状態で延長して行ない、且つ、上下の垂直壁部相互間に、上下幅が５〜５０ｍｍの間隙を形成して行ない、又、上に位置する擁壁ブロックの水平板部は、下に位置する擁壁ブロックの前記垂直壁部の内側で発泡樹脂ブロックを積重して構成してなる軽量盛土の水平な上面に載置し、該上面で、上に位置する各擁壁ブロックの水平板部の先端に連続するように中間床版を設け、その際、該水平板部と該中間床版とを、両者の接合部が上下方向及び水平方向で分離しないように、連結部を介して連結し、
下の擁壁ブロックの垂直壁部上で上の擁壁ブロックの垂直壁部を上方に垂直状態で延長させる際、予め、前記垂直壁部の内面の上端両側部位に、該垂直壁部の上端の上方に延長するガイドプレートの下端側を固定状態としておき、該ガイドプレートの上端側の垂直な外面部を、前記上に位置する擁壁ブロックの前記垂直壁部の垂直な内面の下端両側部分と当接状態にして該下端両側部分を下方向に案内させるものとし、上に位置する前記擁壁ブロックの水平板部を前記軽量盛土の水平な上面に載置した後、前記上端側を挿通した固定ボルトを締め付けて該上端側を前記垂直壁部に固定し、その後、前記中間床版を構築し、該中間床版を構築した後に前記固定ボルトを取り外すことを特徴とする盛土構造物の構築工法。
【請求項１２】
施工空間に構築した擁壁の内側で発泡樹脂ブロックを積み重ねることによって盛土構造物を構築する盛土構造物の構築工法であって、
前記擁壁は、垂直壁部の下端部で水平板部が突設されてなるＬ字状の擁壁ブロックを、該水平板部を同一側に向け且つ上下の水平板部を平行状態にして積重することにより構築するものであり、前記擁壁ブロックの積重は、下の擁壁ブロックの垂直壁部上で上の擁壁ブロックの垂直壁部を上方に垂直状態で延長して行ない、且つ、上下の垂直壁部相互間に、上下幅が５〜５０ｍｍの間隙を形成して行ない、又、上に位置する擁壁ブロックの水平板部は、下に位置する擁壁ブロックの前記垂直壁部の内側で発泡樹脂ブロックを積重して構成してなる軽量盛土の水平な上面に載置し、該上面で、上に位置する各擁壁ブロックの水平板部の先端に連続するように、該先端で突設された突き出し鉄筋としての連結部を介して、コンクリートの打設によって中間床版を設け、
下の擁壁ブロックの垂直壁部上で上の擁壁ブロックの垂直壁部を上方に垂直状態で延長させる際、予め、前記垂直壁部の内面の上端両側部位に、該垂直壁部の上端の上方に延長するガイドプレートの下端側を固定状態としておき、該ガイドプレートの上端側の垂直な外面部を、前記上に位置する擁壁ブロックの前記垂直壁部の垂直な内面の下端両側部分と当接状態にして該下端両側部分を下方向に案内させるものとし、上に位置する前記擁壁ブロックの水平板部を前記軽量盛土の水平な上面に載置した後、前記上端側を挿通した固定ボルトを締め付けて該上端側を前記垂直壁部に固定し、その後、前記中間床版を構築し、該中間床版を構築した後に前記固定ボルトを取り外すことを特徴とする盛土構造物の構築工法。
【発明の詳細な説明】
【技術分野】
【０００１】
本発明は、山間部等における道路の拡幅工事や土地造成等の建設工事等において盛土構造物を構築する盛土構造に関するものであり、より詳しくは、擁壁ブロックを積重して構築した擁壁の内側で発泡樹脂ブロックを多段に積み重ねる盛土構造に関するものである。又、該盛土構造構成用の擁壁ブロックに関するものである。更に、前記盛土構造物の構築工法に関するものである。
【背景技術】
【０００２】
擁壁に作用する土圧を大幅に軽減することによって安定性の高い盛土構造物を構築し、又、施工コストの低減と工期の短縮を図る目的で、構築した擁壁の内側で発泡樹脂ブロックを積み重ねてなる盛土構造物が広く構築されている。
【０００３】
例えば山間部における道路の拡幅工事や土地造成等の建設工事において、一側部が盛土や切土の傾斜地として構成された施工空間の他側部において擁壁を構築し、該擁壁と前記傾斜地との間の空間部に発泡スチロールブロック等の発泡樹脂ブロックを積み重ねることによって該空間部を軽量盛土で充填状態としてなる従来の盛土構造物における擁壁は、一般に、Ｈ形鋼を、その下端部分を基礎コンクリートに埋設して所要間隔で立設すると共に、Ｈ形鋼相互間に軽量コンクリート板等の壁面材を取り付けることによって構築されていた。
【０００４】
しかしながら、かかる従来の盛土構造物によるときは、Ｈ形鋼の建て込み作業に際して、Ｈ形鋼の垂直度や相互間の間隔、立設されるＨ形鋼列の外面の面一性等に高い精度が求められるため、特殊な技能者を必要とした。しかも、Ｈ形鋼の内外での作業を要するために、例えば山間道路の拡幅工事を行う際の谷側等、Ｈ形鋼の外側で足場を組んで作業しなければならない等、非常に危険な作業を強いられたばかりか、全体の施工費が高価につく問題があった。
【０００５】
そこで、Ｈ形鋼を使用して擁壁を構築する従来の盛土構造物における作業の危険を回避すると共に擁壁構築コストの低減を達成せんとして、本出願人は特開２００５−１５５１３５号において、図５９に示すような、壁部ａと底盤ｂからなる断面Ｌ字型のプレキャストコンクリート製の擁壁ブロックｃを用いる盛土構造物ｄを提案した。該盛土構造物ｄは、該擁壁ブロックｃを基礎面ｅ上に連続して敷設することにより擁壁ｆを構築し、該擁壁ｆの内側で発泡樹脂ブロックｇを積み重ねて軽量盛土ｈを形成する構成のものであった。  
【０００６】
かかる擁壁ブロックｃを用いる盛土構造物ｄにあっては、従来施工におけるような、Ｈ形鋼の外側（谷側等）で足場を組んで作業しなければならないといった危険がなく施工の安全性を確保し得る利点があり、又、施工性や施工経済性にも優れる利点があった。しかしながら、前記擁壁ブロックｃの壁部ａの高さは、トラックによる擁壁ブロック運搬上の制約から精々５ｍが限界であった。従って、壁部高さが５ｍを越える盛土構造物はかかる擁壁ブロックを用いては構築できなかったのであり、５ｍを越える高さの大なる擁壁であっても構築できた従来のＨ形鋼立設による盛土構造物の問題点を十分には解決できない問題が残されていた。
【０００７】
【特許文献１】特開２００５−１５５１３５号公報
【発明の開示】
【発明が解決しようとする課題】
【０００８】
本発明は前記従来の問題点に鑑みて開発されたものであり、擁壁ブロックを積重して構築した擁壁の内側で発泡樹脂ブロックを多段に積み重ねることを基本として、擁壁高さの大なる盛土構造物であっても確実且つ容易に然も安全に施工でき、又、施工コストの低減と工期の短縮を期し得る盛土構造の提供を課題とするものである。又、該盛土構造の構成に好適な擁壁ブロックの提供を課題とするものである。加えて、該盛土構造物の構築に好適な盛土構造物の構築工法の提供を課題とするものである。
【課題を解決するための手段】
【０００９】
前記課題を解決するため本発明は以下の手段を採用する。
即ち、本発明に係る盛土構造物を構築する盛土構造（以下、盛土構造という）は、施工空間に構築した擁壁の内側で発泡樹脂ブロックを積み重ねることによって盛土構造物を構築する盛土構造であって、前記擁壁は、垂直壁部の下端部で水平板部が突設されてなるＬ字状の擁壁ブロックを、該水平板部を同一側に向け且つ上下の水平板部を平行状態にして積重することにより構築されるようになされている。上下の擁壁ブロックは、下の擁壁ブロックの垂直壁部上で上の擁壁ブロックの垂直壁部が上方に垂直状態で延長され且つ上下の垂直壁部相互間に、上下幅が５〜５０ｍｍの間隙が形成されるようになされており、又、上に位置する擁壁ブロックの水平板部は、下に位置する擁壁ブロックの前記垂直壁部の内側で発泡樹脂ブロックを積重して構成してなる軽量盛土の水平な上面に載置されると共に、該上面で、上に位置する各擁壁ブロックの水平板部の先端に連続するように中間床版が設けられ、該水平板部と該中間床版とは、両者の接合部が上下方向及び水平方向で分離しないように、連結部を介して連結されている。又、前記下に位置する擁壁ブロックの前記垂直壁部に関しその垂直な内面の上端両側部位に、該垂直壁部の上端の上方に延長するガイドプレートの下端側が固定されており、乃至、固定されるものとなされており、その上端側は、前記上に位置する擁壁ブロックの前記垂直壁部に関し、その垂直な内面の下端両側部分を当接状態に下方向に案内できるようになされており、又該上端側には、前記上に位置する擁壁ブロックの前記垂直壁部に螺合される固定ボルトを挿通させる上下に長い長孔としてのボルト孔が設けられており、該固定ボルトは、前記中間床版を構築するに先立って締め付けられることにより該上端側を該垂直壁部に固定できる一方、該中間床版を構築した後は、緩められることにより、該長孔を挿通する前記固定ボルトが該長孔内において、前記間隙の上下幅に相当する分、下降可能となされていることを特徴とするものである。
【００１０】
本発明に係る盛土構造の他の態様は、施工空間に構築した擁壁の内側で発泡樹脂ブロックを積み重ねることによって盛土構造物を構築する盛土構造であって、前記擁壁は、垂直壁部の下端部で水平板部が突設されてなるＬ字状の擁壁ブロックを、該水平板部を同一側に向け且つ上下の水平板部を平行状態にして積重することにより構築されるようになされている。上下の擁壁ブロックは、下の擁壁ブロックの垂直壁部上で上の擁壁ブロックの垂直壁部が上方に垂直状態で延長され且つ上下の垂直壁部相互間に、上下幅が５〜５０ｍｍの間隙が形成されるようになされており、又、上に位置する擁壁ブロックの水平板部は、下に位置する擁壁ブロックの前記垂直壁部の内側で発泡樹脂ブロックを積重して構成してなる軽量盛土の水平な上面に載置されると共に、該上面で、上に位置する各擁壁ブロックの水平板部の先端に連続するように、該先端で突設された突き出し鉄筋としての連結部を介して、コンクリート打設によって中間床版が設けられている。又、前記下に位置する擁壁ブロックの前記垂直壁部に関しその垂直な内面の上端両側部位に、該垂直壁部の上端の上方に延長するガイドプレートの下端側が固定されており、乃至、固定されるものとなされており、その上端側は、前記上に位置する擁壁ブロックの前記垂直壁部に関し、その垂直な内面の下端両側部分を当接状態に下方向に案内できるようになされており、又該上端側には、前記上に位置する擁壁ブロックの前記垂直壁部に螺合される固定ボルトを挿通させる上下に長い長孔としてのボルト孔が設けられており、該固定ボルトは、前記中間床版を構築するに先立って締め付けられることにより該上端側を該垂直壁部に固定できる一方、該中間床版を構築した後は、緩められることにより、該長孔を挿通する前記固定ボルトが該長孔内において、前記間隙の上下幅に相当する分、下降可能となされていることを特徴とするものである。
【００１１】
本発明に係る盛土構造のその他の態様は、施工空間に構築した擁壁の内側で発泡樹脂ブロックを積み重ねることによって盛土構造物を構築する盛土構造であって、前記擁壁は、垂直壁部の下端部で水平板部が突設されてなるＬ字状の擁壁ブロックを、該水平板部を同一側に向け且つ上下の水平板部を平行状態にして積重することにより構築されるようになされている。上下の擁壁ブロックは、下の擁壁ブロックの垂直壁部上で上の擁壁ブロックの垂直壁部が上方に垂直状態で延長され且つ上下の垂直壁部相互間に、上下幅が５〜５０ｍｍの間隙が形成されるようになされており、又、上に位置する擁壁ブロックの水平板部は、下に位置する擁壁ブロックの前記垂直壁部の内側で発泡樹脂ブロックを積重して構成してなる軽量盛土の水平な上面に載置されると共に、該上面で、上に位置する各擁壁ブロックの水平板部の先端に連続するように中間床版が設けられ、該水平板部と該中間床版とは、両者の接合部が上下方向及び水平方向で分離しないように、連結部を介して連結されている。又、前記下に位置する擁壁ブロックの前記垂直壁部に関しその垂直な内面の上端両側部位に、該垂直壁部の上端の上方に延長するガイドプレートの下端側が固定されており、乃至固定されるようになされると共に、その上端側は、前記上に位置する擁壁ブロックの前記垂直壁部に関し、その垂直な内面の下端両側部分を当接状態に下方向に案内できるようになされており、又該上端側には、前記上に位置する擁壁ブロックの前記垂直壁部に螺合される固定ボルトを挿通させるボルト孔が設けられており、該固定ボルトは、前記中間床版を構築するに先立って締め付けられることにより該上端側を該垂直壁部に固定できる一方、該中間床版を構築した後は、取り外されることを特徴とするものである。
【００１２】
本発明に係る盛土構造のその他の態様は、施工空間に構築した擁壁の内側で発泡樹脂ブロックを積み重ねることによって盛土構造物を構築する盛土構造であって、前記擁壁は、垂直壁部の下端部で水平板部が突設されてなるＬ字状の擁壁ブロックを、該水平板部を同一側に向け且つ上下の水平板部を平行状態にして積重することにより構築されるようになされている。上下の擁壁ブロックは、下の擁壁ブロックの垂直壁部上で上の擁壁ブロックの垂直壁部が上方に垂直状態で延長され且つ上下の垂直壁部相互間に、上下幅が５〜５０ｍｍの間隙が形成されるようになされており、又、上に位置する擁壁ブロックの水平板部は、下に位置する擁壁ブロックの前記垂直壁部の内側で発泡樹脂ブロックを積重して構成してなる軽量盛土の水平な上面に載置されると共に、該上面で、上に位置する各擁壁ブロックの水平板部の先端に連続するように、該先端で突設された突き出し鉄筋としての連結部を介して、コンクリート打設によって中間床版が設けられている。又、前記下に位置する擁壁ブロックの前記垂直壁部に関しその垂直な内面の上端両側部位に、該垂直壁部の上端の上方に延長するガイドプレートの下端側が固定されており、乃至固定されるようになされると共に、その上端側は、前記上に位置する擁壁ブロックの前記垂直壁部に関し、その垂直な内面の下端両側部分を当接状態に下方向に案内できるようになされており、又該上端側には、前記上に位置する擁壁ブロックの前記垂直壁部に螺合される固定ボルトを挿通させるボルト孔が設けられており、該固定ボルトは、前記中間床版を構築するに先立って締め付けられることにより該上端側を該垂直壁部に固定できる一方、該中間床版を構築した後は、取り外されることを特徴とするものである。
【００１３】
前記各盛土構造において、前記垂直壁部の前記内面の上端両側部位にボルト軸を突設すると共に、前記ガイドプレートの下端側に、該ボルト軸を挿通させる挿通孔を設け、該挿通したボルト軸にナットを螺合し締め付けることにより該ガイドプレートの下端側を前記垂直壁部の前記内面に固定可能とするのがよい。
【００１４】
前記各盛土構造において、前記間隙に軟質のスポンジを密着状態に介在させることがある。
【００１５】
本発明に係る盛土構造物構成用の擁壁ブロック（以下、擁壁ブロックという）は、垂直壁部の下端部で水平板部が突設されてなるＬ字状を呈するブロック本体の、該垂直壁部の内面の上端両側部位に、該垂直壁部の上端の上方に延長するガイドプレートの下端側が固定されており、該垂直壁部の下端両側部に、前記ガイドプレートの上端側を上方向に通過させることのできる通過部が設けられており、該通過部の外側の面は、前記ガイドプレートの上端側の外側の垂直な面に当接し得る垂直面に形成されており、該上端側には、前記垂直壁部に螺合される固定ボルトを挿通させるボルト孔が設けられていることを特徴とするものである。該擁壁ブロックにおいて、前記ボルト孔を、上下に長い長孔として形成するのがよい。
【００１６】
本発明に係る盛土構造物の構築工法（以下、構築工法という）は、施工空間に構築した擁壁の内側で発泡樹脂ブロックを積み重ねることによって盛土構造物を構築する盛土構造物の構築工法であって、前記擁壁は、垂直壁部の下端部で水平板部が突設されてなるＬ字状の擁壁ブロックを、該水平板部を同一側に向け且つ上下の水平板部を平行状態にして積重することにより構築するものであり、前記擁壁ブロックの積重は、下の擁壁ブロックの垂直壁部上で上の擁壁ブロックの垂直壁部を上方に垂直状態で延長して行ない、且つ、上下の垂直壁部相互間に、上下幅が５〜５０ｍｍの間隙を形成して行ない、又、上に位置する擁壁ブロックの水平板部は、下に位置する擁壁ブロックの前記垂直壁部の内側で発泡樹脂ブロックを積重して構成してなる軽量盛土の水平な上面に載置し、該上面で、上に位置する各擁壁ブロックの水平板部の先端に連続するように中間床版を設け、その際、該水平板部と該中間床版とを、両者の接合部が上下方向及び水平方向で分離しないように、連結部を介して連結する。そして、下の擁壁ブロックの垂直壁部上で上の擁壁ブロックの垂直壁部を上方に垂直状態で延長させる際、予め、前記垂直壁部の内面の上端両側部位に、該垂直壁部の上端の上方に延長するガイドプレートの下端側を固定状態としておき、該ガイドプレートの上端側の垂直な外面部を、前記上に位置する擁壁ブロックの前記垂直壁部の垂直な内面の下端両側部分と当接状態にして該下端両側部分を下方向に案内させるものとし、上に位置する前記擁壁ブロックの水平板部を前記軽量盛土の水平な上面に載置した後、前記上端側に設けた上下に長い長孔を挿通した固定ボルトを締め付けて該上端側を前記垂直壁部に固定し、その後、前記中間床版を構築し、該中間床版を構築した後に該固定ボルトを緩めることを特徴とするものである。
【００１７】
本発明に係る構築工法の他の態様は、施工空間に構築した擁壁の内側で発泡樹脂ブロックを積み重ねることによって盛土構造物を構築する盛土構造物の構築工法であって、前記擁壁は、垂直壁部の下端部で水平板部が突設されてなるＬ字状の擁壁ブロックを、該水平板部を同一側に向け且つ上下の水平板部を平行状態にして積重することにより構築するものであり、前記擁壁ブロックの積重は、下の擁壁ブロックの垂直壁部上で上の擁壁ブロックの垂直壁部を上方に垂直状態で延長して行ない、且つ、上下の垂直壁部相互間に、上下幅が５〜５０ｍｍの間隙を形成して行ない、又、上に位置する擁壁ブロックの水平板部は、下に位置する擁壁ブロックの前記垂直壁部の内側で発泡樹脂ブロックを積重して構成してなる軽量盛土の水平な上面に載置し、該上面で、上に位置する各擁壁ブロックの水平板部の先端に連続するように、該先端で突設された突き出し鉄筋としての連結部を介して、コンクリートの打設によって中間床版を設ける。そして、下の擁壁ブロックの垂直壁部上で上の擁壁ブロックの垂直壁部を上方に垂直状態で延長させる際、予め、前記垂直壁部の内面の上端両側部位に、該垂直壁部の上端の上方に延長するガイドプレートの下端側を固定状態としておき、該ガイドプレートの上端側の垂直な外面部を、前記上に位置する擁壁ブロックの前記垂直壁部の垂直な内面の下端両側部分と当接状態にして該下端両側部分を下方向に案内させるものとし、上に位置する前記擁壁ブロックの水平板部を前記軽量盛土の水平な上面に載置した後、前記上端側に設けた上下に長い長孔を挿通した固定ボルトを締め付けて該上端側を前記垂直壁部に固定し、その後、前記中間床版を構築し、該中間床版を構築した後に該固定ボルトを緩めることを特徴とするものである。
【００１８】
本発明に係る構築工法のその他の態様は、施工空間に構築した擁壁の内側で発泡樹脂ブロックを積み重ねることによって盛土構造物を構築する盛土構造物の構築工法であって、前記擁壁は、垂直壁部の下端部で水平板部が突設されてなるＬ字状の擁壁ブロックを、該水平板部を同一側に向け且つ上下の水平板部を平行状態にして積重することにより構築するものであり、前記擁壁ブロックの積重は、下の擁壁ブロックの垂直壁部上で上の擁壁ブロックの垂直壁部を上方に垂直状態で延長して行ない、且つ、上下の垂直壁部相互間に、上下幅が５〜５０ｍｍの間隙を形成して行ない、又、上に位置する擁壁ブロックの水平板部は、下に位置する擁壁ブロックの前記垂直壁部の内側で発泡樹脂ブロックを積重して構成してなる軽量盛土の水平な上面に載置し、該上面で、上に位置する各擁壁ブロックの水平板部の先端に連続するように中間床版を設け、その際、該水平板部と該中間床版とを、両者の接合部が上下方向及び水平方向で分離しないように、連結部を介して連結する。そして、下の擁壁ブロックの垂直壁部上で上の擁壁ブロックの垂直壁部を上方に垂直状態で延長させる際、予め、前記垂直壁部の内面の上端両側部位に、該垂直壁部の上端の上方に延長するガイドプレートの下端側を固定状態としておき、該ガイドプレートの上端側の垂直な外面部を、前記上に位置する擁壁ブロックの前記垂直壁部の垂直な内面の下端両側部分と当接状態にして該下端両側部分を下方向に案内させるものとし、上に位置する前記擁壁ブロックの水平板部を前記軽量盛土の水平な上面に載置した後、前記上端側を挿通した固定ボルトを締め付けて該上端側を前記垂直壁部に固定し、その後、前記中間床版を構築し、該中間床版を構築した後に前記固定ボルトを取り外すことを特徴とするものである。
【００１９】
本発明に係る構築工法のその他の態様は、施工空間に構築した擁壁の内側で発泡樹脂ブロックを積み重ねることによって盛土構造物を構築する盛土構造物の構築工法であって、前記擁壁は、垂直壁部の下端部で水平板部が突設されてなるＬ字状の擁壁ブロックを、該水平板部を同一側に向け且つ上下の水平板部を平行状態にして積重することにより構築するものであり、前記擁壁ブロックの積重は、下の擁壁ブロックの垂直壁部上で上の擁壁ブロックの垂直壁部を上方に垂直状態で延長して行ない、且つ、上下の垂直壁部相互間に、上下幅が５〜５０ｍｍの間隙を形成して行ない、又、上に位置する擁壁ブロックの水平板部は、下に位置する擁壁ブロックの前記垂直壁部の内側で発泡樹脂ブロックを積重して構成してなる軽量盛土の水平な上面に載置し、該上面で、上に位置する各擁壁ブロックの水平板部の先端に連続するように、該先端で突設された突き出し鉄筋としての連結部を介して、コンクリートの打設によって中間床版を設ける。そして、下の擁壁ブロックの垂直壁部上で上の擁壁ブロックの垂直壁部を上方に垂直状態で延長させる際、予め、前記垂直壁部の内面の上端両側部位に、該垂直壁部の上端の上方に延長するガイドプレートの下端側を固定状態としておき、該ガイドプレートの上端側の垂直な外面部を、前記上に位置する擁壁ブロックの前記垂直壁部の垂直な内面の下端両側部分と当接状態にして該下端両側部分を下方向に案内させるものとし、上に位置する前記擁壁ブロックの水平板部を前記軽量盛土の水平な上面に載置した後、前記上端側を挿通した固定ボルトを締め付けて該上端側を前記垂直壁部に固定し、その後、前記中間床版を構築し、該中間床版を構築した後に前記固定ボルトを取り外すことを特徴とするものである。
【発明の効果】
【００２０】
本発明は以下の如き優れた効果を奏する。
(1) 本発明に係る盛土構造は、擁壁ブロックを積重して擁壁を構築するため、１個の擁壁ブロックを用いて盛土構造物を構築する従来施工とは異なり、各擁壁ブロックを、その高さを低くして小型化できる。かかることから、各擁壁ブロックを輸送上の制約なく運搬でき、その取り扱いが容易となり、高さの高い擁壁であっても容易に構築できることとなる。
【００２１】
(2) 本発明によるときは、擁壁ブロックの垂直壁部の垂直な内面の上端両側部位に、該垂直壁部の上端の上方に突出するガイドプレートの下端側が固定されている。従って、所要に設置された擁壁ブロックに他の擁壁ブロックを積重する際、該ガイドプレートの上端側の垂直な外面部に垂直壁部の垂直な内面を当接させつつ該擁壁ブロックを吊り下ろすことにより、擁壁ブロックの外面側を確認しなくても、上下の擁壁ブロックの垂直壁部の外面を自ずから垂直状態に揃えることができる。
【００２２】
従って、例えば山間部において道路拡幅工事を行なう際に、危険な谷側に足場を組んでブロック積重作業を行なわなければならない等の、擁壁の外側での危険な従来施工が不要となり、擁壁の内側での作業だけで済むため、ブロック積重施工の安全性と良好な作業性を確保し得る。又、構築すべき擁壁の内側において施工できることから、擁壁の外側で足場を組む必要がなく、施工コストの大幅な低減を期し得ることとなる。
【００２３】
(3) 本発明は、該ガイドプレートの上端側に設けたボルト孔を挿通する固定ボルトを、吊り下ろされた上の擁壁ブロックの垂直壁部に螺合し締め付けることによって該ガイドプレートの下端側を該垂直壁部に固定できると共に、該固定ボルトを緩めるか取り外すことが可能とされている。そして、積重状態にある上下の擁壁ブロック間に、上下幅が５〜５０ｍｍの間隙を形成することとしている。
【００２４】
かかることから本発明によるときは、設置された擁壁ブロックの水平板部に連ねて中間床版を構築する際、固定ボルトを仮固定することにより該水平板部の施工高さを正確に設定し保持でき、この状態で、該中間床版を水平板部に正確に連結できることになる。
【００２５】
そして該中間床版が所要に硬化した後は、前記固定ボルトを緩めるか（固定ボルトを挿通させるボルト孔が上下に長い長孔として形成されている場合）、取り外すことによって、前記軽量盛土がクリープ現象で圧縮されるに伴う擁壁ブロックの下方向への沈み込みを、前記間隙によって無理なく吸収できる。この際、前記中間床版と前記水平板部とを、突き出し鉄筋等の連結部を介して一体化するため、このように圧縮されたときに、擁壁ブロックと中間床版とが一体となって全体が一様に無理なく沈下できることになる。かかることから、盛土構造物の強度的な安定性を長期間に亘って確保し得る。
【００２６】
従って本発明によるときは、軽量盛土がクリープ現象で圧縮されたときにも、上の擁壁ブロックが下の擁壁ブロックの垂直壁部の上端に当たることがないのであり、従って、該垂直壁部の上端が割れたり欠けたりする恐れがなく、上下の擁壁ブロックの接合部分でブロックがくの字状に屈曲する等して盛土構造物の崩落を招くといった恐れもなく、擁壁の垂直度を長期間に亘って安定的に確保し得ることになる。
【００２７】
そして、前記のように固定ボルトを仮固定することにより、前記のように水平板部を中間床版と連結するまでの間において、積重された擁壁ブロックの前記垂直壁部の垂直状態を正しく保持させることができると共に、該積重された擁壁ブロックの転倒を防止でき、盛土構造物を精度よく安全に構築できることとなる。
【００２８】
(4) 積重された擁壁ブロックは、その水平板部が、前記突き出し筋等の連結部を介して中間床版と連結一体化されているため、施工途中の状態で、強風時や地震時に外方への水平力が作用したときや、軽量盛土が圧縮された際において擁壁ブロックを外側に押し出そうとする外力が作用したときに、前記中間床版及びその上に載る軽量盛土材の重量がカウンターウエイトとなってこれらの力に抵抗し、擁壁ブロックが移動したり転倒したりするのを防止でき、工事を安全に遂行できる。
【００２９】
(5) 前記ガイドプレートの上端側に設けるボルト孔を、上下に長い長孔として形成する場合は、前記中間床版を構築した後に該固定ボルトを緩めさえすれば、上に位置する擁壁ブロックを、軽量盛土の沈み込みに伴って下方向に自由に移動させることができるため、固定ボルトを取り外す手間を要さず施工能率を向上し得ることとなる。
【００３０】
(6) 前記垂直壁部の内面の上端両側部位にボルト軸を突設すると共に、ガイドプレートの下端側に、該ボルト軸を挿通させる挿通孔を設ける構成を採用した場合は、ガイドプレートを垂直壁部に固定する際に、その下端側に設けられている挿通孔にボルト軸を挿通させることにより、該ガイドプレートを位置決めして垂直壁部に固定する作業を容易化し得る。
【００３１】
(7) 本発明に係る擁壁ブロックによるときは、盛土構造物を施工性よく安全に然も施工コストの低減を図って構築できることになる。
【００３２】
(8) 本発明に係る構築工法によるときは、盛土構造物を施工性よく安全に然も施工コストの低減を図って構築できることになる。
【００３３】
(9) 本発明に係る盛土構造において、前記間隙に軟質のスポンジを密着状態に介在させる場合は、構築された盛土構造物の前記間隙を通して紫外線が盛土構造物内に進入するのを抑制できる。これによって、発泡樹脂ブロックの紫外線劣化を抑制でき、盛土構造物の強度的安定を向上させ得ることとなる。
【実施例１】
【００３４】
図１において本発明に係る盛土構造１は、山間部における道路の拡幅工事に応用された場合を示すものであり、一側部が切土の傾斜地２とされた図２に示す施工空間３の底部５に設けた基礎部６上で擁壁ブロック７を積重することによって擁壁９を構築し、該擁壁９と前記傾斜地２との間の空間部１０を、直方体状ブロック１１ａとして形成された発泡樹脂ブロック１１を積み重ねてなる軽量盛土１２で充填状態とすることにより盛土構造物Ａを構築できるものである。
【００３５】
本実施例においては、該擁壁ブロック７が３段に積重されることによって前記擁壁９が構築される。該３段に積重される擁壁ブロック７，７，７を、以下、下段の擁壁ブロック７ａと中段の擁壁ブロック７ｂと上段の擁壁ブロック７ｃと区別する。そして前記発泡樹脂ブロック１１は、合成樹脂の発泡体を以て構成されており、発泡スチロールブロックや発泡ポリウレタンブロック、発泡ポリエチレンブロック等を使用できるが、施工経済の面から特に発泡スチロールブロックが好ましい。そして前記直方体状ブロック１１ａは、例えば図３に示すような、縦横高さが夫々２ｍ、１ｍ、５０ｃｍの矩形状板体として形成されている。
【００３６】
前記中段の擁壁ブロック７ｂは、プレキャストコンクリートブロックとして形成されており、図４に示すように、正面視で矩形板状を呈する垂直壁部１３の下端部で、平面視で矩形板状を呈する水平板部１５が突設されてなるＬ字状を呈しており、該水平板部１５の左右端面１６，１６は前記垂直壁部１３の左右端面１９，１９よりも内方に稍控えている。なお、該垂直壁部１３の外面（前記傾斜地２と反対側の面）２１は、模様を形成したり、自然石を貼り付ける等して、自然環境に溶け込む外観を呈するように形成するのがよい。
【００３７】
そして前記垂直壁部１３は、壁部本体１３ａの垂直な内面（前記傾斜地２側の面）２２の両側部位と中央部位に、上下全長に亘る縦補強リブ２３，２３，２３が突設されてなり、前記水平板部１５は、板部本体１５ａの上面２５の両側部位と中央部位に横補強リブ２６，２６，２６が突設されてなり、両側部位と中央部位において、該縦補強リブ２３と該横補強リブ２６が一連に連なっている。そして、該両側の縦補強リブ２３ａ，２３ａの上下方向の上側部位には、図４に示すように、並設された中段の擁壁ブロック７ｂ，７ｂ相互を図５に示すように連結板２７で連結するための切欠き状の連結凹部２９，２９が設けられており、該連結凹部２９，２９の底面３０，３０に、連結用のインサート３１，３１が埋設されている。
【００３８】
又、前記垂直壁部１３と前記水平板部１５とがなす入隅部分には、図４に示すように、断面三角形状の入隅補強部３２が設けられている。
【００３９】
なお本実施例においては、図４に示すように、前記両側の縦補強リブ２３ａ，２３ａの端面３３，３３を該垂直壁部１３の内方に向かう傾斜面として形成すると共に、前記水平板部１５の左右端面１６，１６を前記垂直壁部１３の左右端面１９，１９の内方に位置させているのは、図６に示すように、道路がカーブする区間におけるカーブ施工に応じられるようにするためである。図６においては、最大角度でのカーブ施工状態が示されている。かかるカーブ施工に用いる前記連結板２７は、例えば、カーブに合わせて屈曲している。
【００４０】
そして前記垂直壁部１３の下端部分には、図４、図７（Ａ）に示すように、隣り合う縦補強リブ２３，２３間の略中央に位置させて排水孔３５，３５が貫設されており、該排水孔３５の内端は前記隣り合う横補強リブ２６，２６間の横凹所３６に連通されている。又、前記水平板部１５の基端側の部分３７の両側（垂直壁部１３の下端両側部）には、図４、図７（Ｂ）に示すように、前記入隅補強部３２を上下方向で貫通する矩形孔状のガイド孔３９ａ，３９ａとしての通過部３９，３９が設けられており、該ガイド孔３９ａの前記垂直壁部１３側の孔内面４０は、該垂直壁部１３の内面（前記壁部本体の内面）２２と面一の垂直面に形成されている。
【００４１】
又、前記垂直壁部１３の内面２２の上端両側部位には、図８〜９に示すように、該垂直壁部１３の上端４１の上方に延長するガイドプレート４２の下端側４３が固定される。そのために、該内面２２の上端両側部位に、図４、図９に示すように、上下２段でインサート４５，４５、４５，４５が埋設されており、インサート４５の夫々にネジ軸４６の一端部分４７を螺合することによってその他端部分４９が該内面２２に突出状態とされる。
【００４２】
該ガイドプレート４２は、本実施例においては図１０に示すように、上下方向に長い矩形板状に形成されており、その下端側４３に、前記上下のネジ軸４６，４６を挿通させるための挿通孔５１，５１が設けられている。そして、図９に示すように、該挿通孔５１，５１を挿通したネジ軸４６，４６にナット５２，５２を螺合し締め付けることにより該下端側４３が垂直壁部１３に固定され、前記上端側５３が、前記垂直壁部１３の上端４１の上方に垂直状態で突出する。又、該ガイドプレート４２の上端側５３にはボルト孔５６が設けられている。該ボルト孔５６は、本実施例においては図１０に示すような上下に長い長孔５６ａとして形成されており、図９に示すように、該長孔５６ａを挿通する固定ボルト５７が、積重された上段の擁壁ブロック７ｃに設けられている前記ガイド孔３９ａの前記孔内面４０又は前記垂直壁部１３の内面２２に埋設されているインサート５９に螺合でき、該固定ボルト５７が締め付けられることによって該上端側５３が該上段の擁壁ブロック７ｃに固定状態となる。
【００４３】
該上端側５３は、後述のように、その垂直な外面部６０を前記孔内面４０に当接させながら、前記ガイド孔３９ａを下から上に向けて挿通できる。
【００４４】
前記ガイドプレート４２の各部の寸法を図１０に基づいて例示すれば、幅寸法Ｌ１は５０ｍｍ、その上下長さＬ２は３５０ｍｍ、その厚さＬ３は１０ｍｍに設定されている。又、前記長孔５６ａの上下長さは３０〜５０ｍｍに、本実施例においては、前記の固定ボルト５７（図９）が３０ｍｍの範囲で下降できるように、上下の円形孔部６１，６２の中心間距離Ｌ４が３０ｍｍに設定されている。又、該長孔５６ａの幅は該固定ボルト５７の径よりも若干大きい１４ｍｍ程度に設定されている。
【００４５】
そして該中段の擁壁ブロック７ｂの主要部の寸法を図４に基づいて例示すれば、垂直壁部１３の左右方向の幅Ｌ５は２０００ｍｍに設定されると共に、高さＬ６が３０００ｍｍに、水平長さＬ７が１５００ｍｍに設定されている。本実施例においては、垂直壁部１３の高さＬ６を３０００ｍｍと大きく設定しているが、これは、擁壁９を構築するための擁壁ブロック７の積重段数を極力少なくすると共に、中間床版を設ける施工工程を削減する等によって施工能率の向上と施工コストの低減を図るためである。
【００４６】
又、前記水平板部１５の先端面６３には、図４、図１１に示すように、例えば前記横補強リブ２６，２６，２６の先端位置で、突き出し鉄筋６５ａとしての連結部６５の基端部分６６をねじ込むためのインサート６７が埋設されている。
【００４７】
図１２は、下段に位置する擁壁ブロック７ａを示すものであり、前記突き出し鉄筋６５の基端部分６６をねじ込むためのインサート６７と通過部３９が設けられていない点と、水平板部１５の先端部の上面を横切るように、カウンターウエイトとして機能し得る連結部材６９が設けられている点を除いては、前記中段の擁壁ブロック７ｂと略同様の構成を有している。
【００４８】
より具体的に説明すれば、該連結部材６９は、本実施例においては、断面正方形状のコンクリート製角棒材として形成されており、前記３本の横補強リブ２６，２６，２６の上面先端部分７０，７０，７０に載置された状態で、その両端部分７１，７１が、左右両側の補強リブ２６ａ，２６ａにボルト７２で固定されている。該ボルト７２の下端のネジ軸部７３は、図１２（Ｂ）に示すように、前記両側の補強リブ２６ａ，２６ａの上面先端部分７０，７０に埋設したインサート７５に螺合され、該ボルト７２が締め付けられることによって、該連結部材６９が前記水平板部１５に固定されている。この状態で、隣り合う横補強リブ２６，２６、２６，２６間の前記横凹所３６の先端３６ａが開放状態にある。前記中段の擁壁ブロック７ｂと同様構成の部分には前記と同様の符号を付している。
【００４９】
そして該下段の擁壁ブロック７ａの主要部の寸法を例示すれば、垂直壁部の左右方向の幅Ｌ８は１９００ｍｍに設定されると共に、高さＬ９が１５００ｍｍに、水平長さＬ１０が７５０ｍｍに設定されている。
【００５０】
該下段の擁壁ブロック７ａは、前記中段の擁壁ブロック７ｂや前記上段の擁壁ブロック７ｃとは異なり、後述の中間床版７６が連結されない。これは、前記施工空間３の底部５（図２）の内外幅を極力狭くすることにより、盛土構造物１を構築するための地山の掘削量を極力少なくして施工能率の向上と施工コストの低減を図ると共に、擁壁９と前記傾斜地２との間の空間部１０への前記発泡樹脂ブロック１１の充填量をより少なくして施工能率の向上と施工コストの低減を図るためであるが、そのためには、前記基礎部６に設置された下段の擁壁ブロック７ａが、風等の水平力によって転倒しないように安定的に自立できなければならない。そのため本実施例においては、前記水平板部１５の突出長さを極力小さくしながら該擁壁ブロック７の安定自立を確保し得るように、前記垂直壁部１３の高さＬ９と前記水平板部１５の水平長さＬ１０の比を前記のように２対１に設定しているのである。
【００５１】
図１３は、上段に位置する擁壁ブロック７ｃを示すものであり、前記中段の擁壁ブロック７ｂの構成と異なるのは、後述のように、垂直壁部１３の上端部分で笠コンクリート部１１０を形成する関係上、前記縦補強リブ２３，２３，２３の上端７９，７９，７９を垂直壁部１３の上端８０の稍下方に位置させている点である。前記中段の擁壁ブロック７ｂと同様構成の部分には前記と同様の符号を付している。該上段の擁壁ブロック７ｃの垂直壁部１３の高さは、前記擁壁９の設計高さを考慮して、前記中段の擁壁ブロック７ｂの垂直壁部１３の上端４１からの不足高さを補うように設定される。
【００５２】
そして該上段の擁壁ブロック７ｃの主要部の寸法を例示すれば、垂直壁部１３の左右方向の幅Ｌ１１は１９００ｍｍに設定されると共に、高さＬ１２が１５００ｍｍに、水平長さＬ１３が７５０ｍｍに設定されている。
【００５３】
図１、図１４は、かかる構成を有する擁壁ブロック７ａ，７ｂ，７ｃを用いて構築された前記盛土構造物１を示すものであり、該盛土構造物１を構築するには次の構築工法による。即ち、先ず図２に示すように、一側部が切土の傾斜地２とされた施工空間３を形成する。該施工空間３の、前記下段の擁壁ブロック７ａを設置するための下端底部８２の幅は約１５００ｍｍに設定する。その内の、前記傾斜地２側に位置する約７５０ｍｍ幅部分に、前記基礎部６を形成する。
【００５４】
その後、図１５に示すように、前記下段の擁壁ブロック７ａを、前記水平板部１５を前記傾斜地２に向けて突出状態で該基礎部６上に載置する。前記垂直壁部１３の高さと前記水平板部１５の突出長さの比が約２対１に設定されているため、該下段の擁壁ブロック７ａは安定的に自立できる。
【００５５】
該下段の擁壁ブロック７ａは、前記基礎部６上において、図１６に示すように、垂直壁部１３，１３の端面１９，１９相互を当接状態にして基礎部６の長さ方向に順次設置され、擁壁ブロック７ａ，７ａ相互が、前記連結板２７を介して連結される。該連結は、図５に示すように、隣り合う連結凹部２９，２９に連結板２７の両側部分８３，８３を嵌め入れると共に、該両側部分８３，８３に設けられている挿通孔８５，８５にボルト８６，８６を挿通しこれを前記インサート３１，３１に螺合し締め付けることにより行う。そして隣り合う横補強リブ２６，２６間の前記横凹所３６に、図１６に示すように、前記連結部材６９の高さで砕石８７を充填する。このように充填された砕石８７と前記連結部材６９が前記水平板部１５に対するカウンターウエイトとなって、基礎部６上に設置された下段の擁壁ブロック７ａが風等の水平力によって転倒するのが効果的に防止される。これにより、図１６に示すような下段の擁壁部８９が構築される。このようにして下段の擁壁部８９を構築した後に、或いは、下段の擁壁ブロック７ａを基礎部６上に設置した直後に、又は、下段の擁壁ブロック７ａを基礎部６上に吊り降ろすに先立って、図８、図１６に示すように、前記ガイドプレート４２の下端側４３の垂直な外面部９０を前記垂直壁部１３の垂直な内面２２の上端両側部位８８，８８に固定する。この固定は、図８〜９に示すように、該ガイドプレート４２の下端側４３の上下に設けられている挿通孔５１，５１（図１０）に、前記上下のネジ軸４６，４６を挿通させ、該挿通孔５１，５１を挿通したネジ軸４６，４６にナット５２，５２を螺合し締め付けることによって行う。この状態で、図８〜９に示すように、該ガイドプレート４２の上端側５３が前記垂直壁部１３の上端４１の上方に突出し、その外面部６０は垂直面を呈する。本実施例においては、１７５ｍｍ程度、上方に突出する。
【００５６】
その後、図１７（Ａ）に示すように、このように構築された下段の擁壁部８９と前記傾斜地２との間の空間部１０に前記発泡樹脂ブロック１１を縦横に敷き並べ且つ積み重ねることによって、下段の軽量盛土１２ａを形成できる。該軽量盛土１２ａを形成するに際しては、本実施例においては図１７（Ｂ）に示すように、前記隣り合う縦補強リブ２３，２３間の縦凹所９２に、断面が台形状を呈して上下方向に延長する台形状の発泡樹脂ブロック１１を嵌め入れる。その際、上端に位置する発泡樹脂ブロック１１Ａの水平な上面９４は、前記垂直壁部１３の前記上端４１の上方に２０ｍｍ程度突出した水平面として形成する。積み重ねる発泡樹脂ブロック１１の高さ調整を行なって、２０ｍｍ程度の突出状態が得られるようにしている。そして、該発泡樹脂ブロック１１と前記傾斜地２との間の傾斜間隙９３には砕石８７を該傾斜地２に沿って充填する。
【００５７】
その後、図１８に示すように、前記上面９４に、前記中段の擁壁ブロック７ｂの前記水平板部１５を載置するのであるが、この施工は次のようにして行なう。
【００５８】
先ず、図１９に示すように、前記左右のガイドプレート４２，４２の突出した上端側５３，５３を、前記中段の擁壁ブロック７ｂの両側で設けられた前記ガイド孔３９ａ，３９ａに下側から挿通させ、該上端側５３の垂直な外面部６０を該ガイド孔３９ａの前記孔内面４０に当接させつつ該中段の擁壁ブロック７ｂを徐々に吊り下ろす。該外面部６０と該孔内面４０とが面一の垂直面として形成されているために、該ガイドプレート４２，４２のガイド作用によって、中段の擁壁ブロック７ｂを、その垂直度を確保して吊り下ろすことができる。これにより、図２０〜２１に示すように、該中段の擁壁ブロック７ｂの垂直壁部１３の外面２１が、前記下段の擁壁ブロック７ａの垂直壁部１３の外面２１と自ずから垂直な面一状態を呈して、水平板部１５が前記水平な上面９４に載置された状態となる。この状態で、前記下段の擁壁ブロック７ａの垂直壁部１３の上端４１と、前記中段の擁壁ブロック７ｂの垂直壁部１３の下端９５との間に、上下幅が５〜５０ｍｍ程度の間隙Ｇ、本実施例においては２０ｍｍ程度の間隙Ｇが形成される。
【００５９】
この状態で、前記固定ボルト５７を締め付け、前記ガイドプレート４２と中段の擁壁ブロック７ｂとを仮固定すると、後述のように水平板部１５を中間床版７６と連結するまでの間において、該中段の擁壁ブロック７ｂの前記垂直壁部１３の垂直状態を正しく保持させることができると共に、該積重された中段の擁壁ブロック７ｂの転倒を防止できる。加えて、該中段の擁壁ブロック７ｂの水平板部１５の施工高さを正確に設定し保持できることとなる。
【００６０】
このような施工要領により、図２２に示すように、前記下段の擁壁８９の延長方向に、前記中段の擁壁ブロック７ｂを、隣り合う垂直壁部１３，１３の左右端面１９，１９を当接状態にして設置し、隣り合う中段の擁壁ブロック７ｂ，７ｂ相互を連結板２７で連結する。
【００６１】
この連結は、図５に示すと同様にして、該連結板２７の両側部分８３，８３の夫々を、隣り合う前記連結凹部２９，２９に嵌め入れ、該両側部分８３，８３を挿通するボルト８６，８６を、該連結凹部２９の底面に埋設されているインサート３１，３１に螺合し締め付けることにより行なう。このようにして中段の擁壁部９６を構築した後、図１１に示すように、前記水平板部１５の先端面６３で埋設されている各インサート６７に、例えば４０ｃｍ程度の長さを有する突き出し鉄筋６５の基端部分６６を螺合し、該突き出し鉄筋６５が水平に突出した状態とする。
【００６２】
然る後図２２に示すように、前記水平な上面９４上で適宜配筋９７し、前記横補強リブ２６の上面９９の高さでコンクリートを打設し、図２３〜２４、図１、図１４に示す中間床版７６を構築する。該中間床版７６は、前記ガイドプレート４２と中段の擁壁ブロック７ｂとが図２０に示すように仮固定された状態で、前記突き出し鉄筋６５ａを介して、水平板部１５と精度よく一体に構築される。該中間床版７６が、その上面１００に前記発泡樹脂ブロック１１を敷設する作業に支障のない程度に硬化した後、図２５に示すように、前記固定ボルト５７を緩める。なお、該固定ボルト５７は図２６に示すように、長孔５６ａから取り外してもよい。このように中間床版７６が硬化した状態で、該中間床版７６と前記水平板部１５の接合部９８は、上下方向及び水平方向で分離しない。又、前記水平板部１５に設けられている横補強リブ２６，２６間の前記横凹所３６に、図２３に示すように砕石８７を充填する。
【００６３】
その後、水平板部１５と中間床版７６の水平な一連の上面１０１上において、構築された中段の擁壁部９６と前記傾斜地２との間の空間部１０に前記発泡樹脂ブロック１１を縦横に敷き並べ且つ積み重ねることによって、図２７（Ａ）に示すように中段の軽量盛土１２ｂを形成する。本実施例においては、該中段の軽量盛土１２ｂを形成する際、図２７（Ｂ）に示すように、前記隣り合う縦補強リブ２３，２３間の縦凹所９２に、断面が台形状を呈して上下方向に延長する台形状の発泡樹脂ブロック１１を充填する。その際、上端に位置する発泡樹脂ブロック１１Ｂの上面１０３は、前記垂直壁部１３の上端４１の上方に２０ｍｍ程度突出した水平面として形成する。そして、該発泡樹脂ブロック１１と前記傾斜地２との間の傾斜間隙９３には砕石８７を該傾斜地２に沿って充填する。
【００６４】
このように発泡樹脂ブロック１１を積み重ねる過程において、適当な高さに達したときに、その上に作業者が乗って、図２８に示すように、前記垂直壁部１３の垂直な内面２２の上端両側部位８８，８８に、前記と同様にしてガイドプレート４２，４２の下端側４３，４３を固定する。この固定は、図８〜９に示すと同様にして、該ガイドプレート４２の下端側４３の上下に設けられている前記挿通孔５１，５１に、前記両側部位の上下に突設されているネジ軸４６，４６を挿通させ、該挿通孔５１を挿通したネジ軸４６，４６にナット５２，５２を螺合し締め付けることによって行なう。この状態で、該ガイドプレート４２の上端側５３が前記垂直壁部１３の上端４１の上方に突出し、その垂直な外面部６０（図２８（Ｂ））は垂直面を呈する。本実施例においては１７５ｍｍ程度、上方に突出する。
【００６５】
その後、図２９に示すように、前記中段の擁壁ブロック７ｂにおけると同様の施工要領によって、上段の擁壁ブロック７ｃを前記上端の発泡樹脂ブロック１１Ｃの水平な上面１０７に設置することにより、上段の擁壁部１０９を構築する。より具体的に説明すれば、先ず、前記左右のガイドプレート４２，４２の突出した上端側５３，５３を、前記上段の擁壁ブロック７ｃの両側で設けられた前記ガイド孔３９ａ，３９ａに下側から挿通させ、該上端側５３の垂直な外面部６０を該ガイド孔３９ａの前記孔内面４０に当接させつつ該上段の擁壁ブロック７ｃを徐々に吊り下ろす（図１９に示すと同様）。該外面部６０と該孔内面４０とが一連の垂直面として形成されているために、該ガイドプレート４２，４２のガイド作用によって、上段の擁壁ブロック７ｃを、その垂直度を確保して吊り下ろすことができる。これにより、上段の擁壁ブロック７ｃの垂直壁部１３の外面２１が、前記中段の擁壁ブロック７ｂの垂直壁部１３の外面２１と自ずから垂直な面一状態を呈して、水平板部１５が前記水平な上面１０７に載置された状態となる。この状態で、前記中段の擁壁ブロックの垂直壁部１３の上端４１と、前記上段の擁壁ブロック７ｃの垂直壁部１３の下端９５との間に、上下幅が５〜５０ｍｍ程度の間隙Ｇ、本実施例においては２０ｍｍ程度の間隙Ｇが形成される。
【００６６】
この状態で、前記固定ボルト５７を締め付け、前記ガイドプレート４２と上段の擁壁ブロック７ｃとを仮固定すると、前記と同様にして、該上段の擁壁ブロック７ｃの水平板部１５の施工高さが正確に設定され保持されることとなる。
【００６７】
このような施工要領により、図３０に示すように、前記中段の擁壁部９６の延長方向に、前記上段の擁壁ブロック７ｃを、隣り合う垂直壁部１３，１３の左右端面１９，１９を当接状態にして設置し、隣り合う上段の擁壁ブロック７ｃ，７ｃ相互を連結板２７で連結する。この連結は、図５に示すと同様にして、該連結板２７の両側部分８３，８３の夫々を、隣り合う前記連結凹部２９，２９に嵌め入れ、該両側部分８３，８３を挿通するボルト８６，８６を、該連結凹部の底面に埋設されているインサート３１，３１に螺合し締め付けることにより行なう。このようにして上段の擁壁部１０９を構築した後、図１１に示すと同様にして、前記水平板部１５の先端面６３で埋設されている各インサート６７に、例えば４０ｃｍ程度の長さを有する突き出し鉄筋６５の基端部分６６を螺合し、該突き出し鉄筋６５が水平に突出した状態とする。
【００６８】
然る後図３０に示すように、前記水平な上面１０７上で適宜配筋９７し、前記横補強リブ２６の上面９９の高さでコンクリートを打設し、図３１〜３２、図１、図１４に示す、水平板部１５に一体化された中間床版７６を構築する。該中間床版７６が所要に硬化した後、図２５に示すと同様に、前記固定ボルト５７を緩める。なお、該固定ボルト５７は長孔５６ａから取り外してもよい。又、前記水平板部１５に設けられている横補強リブ２６，２６間の横凹所３６，３６に砕石８７を充填する。
【００６９】
その後、水平板部１５と中間床版７６の水平な一連の上面１０１上において、構築された上段の擁壁部７ｃと前記傾斜地２との間の空間部１０に前記発泡樹脂ブロック１１を縦横に敷き並べ且つ積み重ねることによって、図１、図３３に示すように上段の軽量盛土１２ｃを形成する。該上段の軽量盛土１２ｃを形成するに際しては、本実施例においては図３３（Ｂ）に示すように、前記隣り合う縦補強リブ２３，２３間の縦凹所９２に、断面が台形状を呈して上下方向に延長する台形状の発泡樹脂ブロック１１を嵌め入れる。そして、該発泡樹脂ブロック１１と前記傾斜地２との間の傾斜間隙９３には砕石８７を該傾斜地２に沿って充填する。
【００７０】
前記のように形成された中間床版７６，７６は、発泡樹脂ブロック１１の積み上げ状態における不陸整正により積み上げ状態の安定化を図ると共に、上載荷重の分散による軽量盛土１２の補強のために設けられるものである。かかる中間床版７６，７６によって、盛土構造物全体の安定性を長期に亘って維持できることとなる。又、該中間床版７６，７６は、後述のように、その上面の全体が、盛土構造物１の地下水（地山からの湧水等）を排水孔３５に向けて分散状態で案内する水案内面１３６として機能できるため、該盛土構造物１内の水圧の高まりを防止できることとなる。
【００７１】
そして、前記上段の擁壁部１０９の上端に、常法に従い笠コンクリート部１１０が現場打ち施工によって構築され、該笠コンクリート部１１０の上端面１１１（即ち、擁壁９の上端面）は水平面に形成される。このように形成した笠コンクリート部１１０の内面１１２に当接する状態で積み重ねられた上端の発泡樹脂ブロック１１Ｃの上面１１３に上部床版１１５を設けると共に、該上部床版１１５の外端側の上面に基礎コンクリート１１６を形成する。
【００７２】
本実施例においては、構築された擁壁９の縁部に沿ってガードレール１１７を構築することとしている。そのために、図３３（Ａ）、図１、図１４に示すガードレール用の基礎ブロック１１９を該基礎コンクリート１１６上に敷設する。該基礎ブロック１１９は、底版部１２０の外端寄り部位に立壁部１２１が立設されてなり、該立壁部１２１にガードレール支持部分１２２（図１４）が設けられてなる。かかる構成を有する基礎ブロック１１９の前記底版部１２０を、敷モルタルを介して前記基礎コンクリート１１６上に載置して後、該底版部１２０上及び前記上部床版１１５上に、前記基礎ブロック１１９の立壁部１２１の上面１２５の高さにまで層状に埋め戻す。この埋め戻し部１２６による上載荷重によって該基礎ブロック１１９の転倒が防止される。該埋め戻し部１２６の上部は、仕上げ施工としての路盤１２７やアスファルト舗装１２９が形成されてなり、道路面１３０が形成されている。又、前記基礎ブロック１１９のガードレール支持部分１２２に、ガードレール１１７を固定する支柱１３１の下端部分が固定される。
【００７３】
かかる構成を有する盛土構造１によるときは、図３４、図１に示すように、上下隣り合う擁壁ブロック７，７間に間隙Ｇが形成されており、前記ガイドプレート４２の上端側５３に設けられている長孔５６ａを挿通する固定ボルト５７が緩められた状態にあることから、上側に位置する擁壁ブロックは、該長孔５６ａの上下長さの範囲で自由に下降できる。これにより、上載荷重によって軽量盛土１２がクリープ現象で圧縮されたとき、一体化している前記水平板部１５と中間床版７６の全体が一様に無理なく沈下でき、従って、擁壁ブロック７の下方への沈み込みを前記間隙Ｇの範囲で吸収できることとなる。このようなことから、擁壁ブロック７が損傷されたり、擁壁ブロック７が内側に回転することによって擁壁９が弱化するのを防止でき、擁壁９の垂直度を長期間に亘って安定的に確保できることとなる。
【００７４】
もしも、かかる間隙Ｇが設けられていないとすれば、クリープ現象で軽量盛土１２が次第に圧縮されるに伴って、下側に位置する擁壁ブロックの上端がその上側に位置する擁壁ブロックによって上から押されて割れたり欠けたりして、盛土構造物１の強度低下を招く恐れがある。又、上下の擁壁ブロックの接合部分において、上の擁壁ブロックの内側への回転作用により、該上下の擁壁ブロックが全体としてくの字状に屈曲する等して盛土構造物１の崩落を招来する恐れがある。
【００７５】
そして各擁壁ブロック７，７，７には、横補強リブ２６，２６間において、垂直壁部１３の下端部分に排水孔３５が形成されているため、軽量盛土１２の内部に浸入した水を排水でき、その排水性によって、擁壁９の内側で水が滞留するのを防止できる。下段の擁壁ブロック７ａに設けられている排水孔３５について言えば、図３５に矢印で示すように、前記傾斜地２と前記軽量盛土１２の内端側の部分１３３との間に介在された砕石層１３５は、地下水（地山からの湧水等）を流下させる排水部として機能し、最終的に、該排水孔３５を通して外部に排出される。本実施例においては、該排水孔３５に連結された排水管１３４を介して外部に排出される。又、中段の擁壁ブロック７ｂと上段の擁壁ブロック７ｃについて言えば、図３６、図３７に矢印で示すように、前記中間床版７６の上面と前記水平板部１５の上面が水案内面１３６を形成しているため、地山からの湧水等の、盛土構造物１内の地下水が該水案内面１３６に案内され、前記排水孔３５を通して外部に排出される。このような排水作用によって、擁壁９の安全を確保し得ることとなる。
【実施例２】
【００７６】
本発明は、前記実施例で示したものに限定されるものでは決してなく、「特許請求の範囲」の記載内で種々の設計変更が可能であることはいうまでもない。その一例を挙げれば次のようである。
【００７７】
(1) 本発明に係る盛土構造１は、前記構成の擁壁ブロック７を積重して擁壁９を構築するものであるが、該擁壁９は、該擁壁ブロック７を２段以上に積重して構築されるものであり、該擁壁ブロック７の積重段数に応じて、擁壁の高さを例えば１３ｍ程度に設定することも可能である。そして、使用する擁壁ブロック７の垂直壁部１３の高さは、３ｍ程度に大きく設定することが可能であり、垂直壁部１３の高さの高い擁壁ブロックを組み合わせることによって、擁壁ブロックの積重段数を減じ、中間床版を設ける施工工程を削減する等によって施工能率の向上と施工コストの低減を図ることができる。
【００７８】
(2) 前記実施例においては、横方向で隣り合う擁壁ブロック７，７相互を連結板２７で連結することによって盛土構造物Ａの安定性を向上させているが、かかる連結は必ずしも必要でない。
【００７９】
(3) 図３８は、ガイドプレート４２の他の態様を示すものであり、その上端側５３には円形のボルト孔５６が設けられている。この場合は、前記中間床版７６を構築した後、図３９に示すように、前記固定ボルト５７をガイドプレート４２から取り外す。これにより、上に位置する擁壁ブロックは、軽量盛土の沈み込みに伴い下方向に自由に移動できる。
【００８０】
(4) 擁壁ブロック７の垂直壁部１３の垂直な内面２２の上端両側部位に、ガイドプレート４２の下端側４３を固定する際、該下端側４３をボルト螺合で固定することとしてもよい。
【００８１】
(5) ガイドプレート４２の下端側４３は、擁壁ブロックの製造時において、垂直壁部に固定状態に設けてもよい。又前記突き出し鉄筋６５も、擁壁ブロック７の製造時において、水平板部１５に突出状態に設けてもよい。
【００８２】
(6) 図４０は、ガイドプレート４２のその他の態様を示すものであり、その上端側５３には、上端が開放した上下に長いボルト孔５６が設けられている。この場合は、擁壁ブロック７を積重するに際し、上に位置する擁壁ブロック７Ａの前記垂直壁部１３に関し、その垂直な内面の下端両側部分に固定ボルト５７，５７を緩く螺合させておく。この状態で、該上に位置する擁壁ブロック７Ａを吊り下ろす際、図４１に示すように、前記ボルト孔５６の上端開口１３８，１３８に前記固定ボルト５７，５７の軸部１３９，１３９を嵌め入れた状態で吊り下ろす。そして、該擁壁ブロック７Ａの水平板部１５を、下に位置する擁壁ブロック７Ｂの垂直壁部１３と前記傾斜地２との間の空間部１０に発泡樹脂ブロック１１を積み重ねることによって形成した軽量盛土１２の上端に位置する発泡樹脂ブロックの水平な上面１４０に載置させ、その後、図４２に示すように、該ボルト孔５６を挿通した前記固定ボルト５７を締め付ける。
【００８３】
このようにして、上に位置する擁壁ブロック７Ａを吊り下ろすことにより、該擁壁ブロック７Ａの左右方向の位置を該緩くねじ込まれた両側の固定ボルト５７，５７によって所要に決めることができるため、該擁壁ブロック７Ａの吊り下ろしをより容易化し得る。
【００８４】
そして、前記中間床版７６を構築した後、該固定ボルト５７を図４３に示すように緩め乃至取り外すことにより、上に位置する擁壁ブロック７Ａは、軽量盛土１２の沈み込みに伴い下方向に自由に移動できる。
【００８５】
(7) 図４４〜４８、図４９〜５３は、水平板部１５と中間床版７６とを、両者の接合部９８が上下方向及び水平方向で分離しないように連結部６５を介して連結する他の態様を例示するものである。
【００８６】
図４４〜４８においては、該連結部６５を、前記水平板部１５の先端面６３で突設されたアンカー突部６５ｂを有する如く構成している。この場合は、コンクリート打設によって中間床版７６を形成したとき、該アンカー突部６５ｂが該中間床版７６の端部分１４１に埋設された状態になる。その結果、水平板部１５と中間床版７６の接合部９８を、上下方向及び水平方向で分離しないように連結できる。
【００８７】
なお、アンカー突部６５ｂには、例えば図４７、図４８に示すように、コンクリートに食い込む突部１４２やコンクリートが食い込む凹部１４３を設けることもある。
【００８８】
図４９〜５３は、前記連結部６５を、前記水平板部１５の先端面６３で凹設されたアンカー凹部６５ｃを有する如く構成している。この場合は、コンクリート打設によって中間床版７６を形成したとき、該アンカー凹部６５ｃにコンクリートが流入し該流入コンクリート１４５が該アンカー凹部６５ｃと一体化する。その結果、水平板部１５と中間床版７６の接合部９８を、上下方向及び水平方向で分離しないように連結できる。
【００８９】
なお、アンカー凹部６５ｃには、例えば図５２、図５３に示すように、コンクリートに食い込む突部１４６やコンクリートが食い込む凹部１４７を設けることもある。
【００９０】
図５４〜５５は、前記中間床版７６をプレキャストコンクリート板７６ａを用いて形成した場合を示すものであり、この場合における連結部６５は、前記水平板部１５の先端部分１４９の上面１５０と、該プレキャストコンクリート板７６ａの端部分１５１の上面１５２とを連結する、例えば平板状の連結部材６５ｄを有する如く構成している。この場合は、該上面１５０，１５２に埋設されたインサート１５３，１５３に、該連結部材６５ｄの両端部分に設けられたボルト孔１５５，１５５を挿通するボルト１５６，１５６のネジ軸１５７，１５７を螺合し締め付けることによって、水平板部１５と中間床版７６の接合部９８を、上下方向及び水平方向で分離しないように連結できる。
【００９１】
連結部６５を、かかる連結部材６５ｄを用いて構成する場合、該連結部材６５ｄは前記平板状を呈するものには特定されない。又、前記中間床版７６は、コンクリート打設によって形成されることもある。
【００９２】
(8) 前記中段の擁壁ブロック７ｂや前記上段の擁壁ブロック７ｃ等の２段目以後に設置する擁壁ブロック７にも、例えば図５６に示すように、水平板部１５の先端部の上面を横切るように、カウンターウエイトとして機能し得る連結部材６９を設けることがある。
【００９３】
(9) 前記通過部３９を前記ガイド孔３９ａとして形成する場合、該ガイド孔３９ａは、図１３に示すような矩形孔状には特定されない。
【００９４】
(10)前記ガイドプレート４２の上端側５３は、前記のような平板状に形成されるとは限られず、例えば図５７に示すような断面コ字状等に形成されることもある。この場合、両側の突片１５９，１５９の先端面が垂直な外面部６０となる。
【００９５】
(11)図５８は、構築された盛土構造物１の前記間隙Ｇに、軟質のスポンジ１６０を密着状態に介在させた場合を示すものである。該スポンジ１６０は、前記軽量盛土１２がクリープ現象で圧縮されるに伴う上側の擁壁ブロック７の下方への沈み込みを阻害しない、発泡倍率が３〜５倍程度の低反発性のものであり、例えば、前記発泡樹脂ブロック１１よりも硬度の低い、ＥＰＤＭの発泡体等を使用できる。
なお該スポンジ１６０は、独立気泡型のものでも連続気泡型のものでもよいが、独立気泡型のものを採用するときは、該スポンジ１６０を通して盛土構造物１内に雨水が侵入するのを抑制できるために、より好ましい。
【００９６】
(12)上下の擁壁ブロック７，７の上下の垂直壁部１３，１３相互間に形成する間隙Ｇの上下幅は、前記軽量盛土１２がクリープ現象で圧縮されるに伴う上側の擁壁ブロックの下方への沈み込みを吸収できるように設定されるものであり、上下の擁壁ブロック７，７の上下の水平板部１５，１５間に介在される、発泡樹脂ブロック１１からなる軽量盛土１２の厚さに応じて設定されるものである。
本発明において該間隙Ｇの上下幅は、前記のように５〜５０ｍｍに設定される。該軽量盛土１２の厚さが大きいほど、即ち、擁壁ブロックの垂直壁部１３の高さが高いほど間隙Ｇの上下幅は大きく設定され、該上下幅が小さいほど、即ち、該垂直壁部１３の高さが低いほど小さく設定されるものであり、本発明が構築する盛土構造物で通常使用する擁壁ブロック７の垂直壁部１３の高さを考慮し、最低で５ｍｍ（例えば垂直壁部１３の高さが５００ｍｍ程度の小さいものの場合）、最大で５０ｍｍ（例えば、垂直壁部１３の高さが５０００ｍｍ程度の大きいものの場合）に設定している。
【００９７】
(13)本発明に係る盛土構造物は、前記した道路の拡幅工事の他、公園や駐車場等を構築するためにも応用され得る。
【図面の簡単な説明】
【００９８】
【図１】本発明に係る盛土構造物を示す断面図である。
【図２】施工空間の底部に基礎部を設けた状態を示す断面図である。
【図３】発泡樹脂ブロックを示す斜視図である。
【図４】中段の擁壁ブロックを示す斜視図である。
【図５】中段の擁壁ブロック相互を連結板で連結した状態を示す斜視図と断面図である。
【図６】中段の擁壁ブロック相互をカーブ施工した状態を示す平面図である。
【図７】中段の擁壁ブロックに設けられている排水孔とガイド孔を説明する断面図である。
【図８】垂直壁部の内面にガイドプレートの下端側を固定した状態を示す斜視図である。
【図９】ガイドプレートを介して中段の擁壁ブロックと上段の擁壁ブロック相互を連結した状態を示す断面図である。
【図１０】ガイドプレートを示す斜視図である。
【図１１】中段の擁壁ブロックの水平板部の先端面で突き出し鉄筋を突設した状態を示す斜視図と断面図である。
【図１２】下段の擁壁ブロックを示す斜視図と断面図である。
【図１３】上段の擁壁ブロックを示す斜視図である。
【図１４】本発明に係る盛土構造物を説明する斜視図である。
【図１５】下段の擁壁ブロックを基礎部上に設置した状態を示す側面図である。
【図１６】下段の擁壁ブロック相互を連結して構築した下段の擁壁部を示す斜視図である。
【図１７】下段の擁壁部と傾斜地との空間部に発泡樹脂ブロックを積み重ねて下段の軽量盛土を形成した状態を示す断面図である。
【図１８】下段の擁壁ブロック上に中段の擁壁ブロックを積重した状態を示す断面図である。
【図１９】下段の擁壁ブロック上に中段の擁壁ブロックを積重する工程を説明する断面図である。
【図２０】下段の擁壁ブロックと中段の擁壁ブロックとをガイドプレートを介して連結した状態を示す断面図である。
【図２１】その連結状態を示す斜視図である。
【図２２】下段の擁壁部上に中段の擁壁部を構築した後、中段の擁壁ブロックの水平板部の先端側で配筋した状態を示す斜視図である。
【図２３】中段の擁壁ブロックの水平板部に連ねて中間床版を構築した状態を示す斜視図である。
【図２４】その断面図である。
【図２５】ガイドプレートの上端側を中間の擁壁ブロックに固定する固定ボルトを緩めた状態を示す断面図である。
【図２６】固定ボルトを取り外した状態を示す断面図である。
【図２７】中段の擁壁部と傾斜地との間の空間部に発泡樹脂ブロックを積み重ねて中段の軽量盛土を形成した状態を示す断面図である。
【図２８】中段の擁壁ブロック相互を連結して構築した中段の擁壁部を、ガイドプレートが固定された状態で示す斜視図である。
【図２９】中段の擁壁ブロック上に上段の擁壁ブロックを積重して上段の擁壁部を構築した状態を示す断面図である。
【図３０】上段の擁壁部を構成する上段の擁壁ブロックの水平板部の先端側で配筋した状態を示す斜視図である。
【図３１】上段の擁壁部を構成する水平板部に連ねて中間床版を構築した状態を示す斜視図である。
【図３２】その断面図である。
【図３３】上段の擁壁部と傾斜地との間の空間部に発泡樹脂ブロックを積み重ねて構築した上段の軽量盛土を、構築したガードレールと共に示す断面図である。
【図３４】ガイドプレートの上端側を固定する固定ボルトを緩めた状態を示す断面図である。
【図３５】下段の擁壁ブロックに設けられている排水孔による排水作用を説明する断面図である。
【図３６】中段の擁壁ブロックに設けられている排水孔における排水作用を説明する断面図である。
【図３７】上段の擁壁ブロックに設けられている排水孔における排水作用を説明する断面図である。
【図３８】ガイドプレートの他の態様を、上下のブロックの積重状態で示す斜視図である。
【図３９】そのガイドプレートの上端側を固定する固定ボルトを取り外した状態を示す断面図である。
【図４０】ガイドプレートのその他の態様を、その使用状態で示す斜視図である。
【図４１】ボルト孔に固定ボルトの軸部を嵌め入れた状態で擁壁ブロックを吊り下ろす作業工程を示す断面図である。
【図４２】擁壁ブロックを吊り下ろした後、固定ボルトを締め付けた状態を示す断面図である。
【図４３】固定ボルトを緩めた状態を示す断面図である。
【図４４】水平板部と中間床版とを連結する連結部の他の態様を示す部分断面図である。
【図４５】水平板部と中間床版とを連結する連結部のその他の態様を示す部分断面図である。
【図４６】水平板部と中間床版とを連結する連結部のその他の態様を示す部分断面図である。
【図４７】水平板部と中間床版とを連結する連結部のその他の態様を示す部分断面図である。
【図４８】水平板部と中間床版とを連結する連結部のその他の態様を示す部分断面図である。
【図４９】水平板部と中間床版とを連結する連結部のその他の態様を示す部分断面図である。
【図５０】水平板部と中間床版とを連結する連結部のその他の態様を示す部分断面図である。
【図５１】水平板部と中間床版とを連結する連結部のその他の態様を示す部分断面図である。
【図５２】水平板部と中間床版とを連結する連結部のその他の態様を示す部分断面図である。
【図５３】水平板部と中間床版とを連結する連結部のその他の態様を示す部分断面図である。
【図５４】水平板部と中間床版とを連結する連結部のその他の態様を示す部分断面図である。
【図５５】水平板部と中間床版とを連結する連結部のその他の態様を示す部分断面図である。
【図５６】２段目以後に設置する擁壁ブロックに連結部材を設けた状態を示す断面図である。
【図５７】ガイドプレートの他の態様を示す断面図である。
【図５８】盛土構造物の間隙にスポンジを密着状態に介在させた状態を示す断面図である。
【図５９】従来の盛土構造物を示す断面図である。
【符号の説明】
【００９９】
１  盛土構造物
２  傾斜地
３  施工空間
５  底部
６  基礎部
７  擁壁ブロック
９  擁壁
１０  空間部
１１  発泡樹脂ブロック
１２  軽量盛土
１３  垂直壁部
１５  水平板部
３５  排水孔
３９  通過部
３９ａ  ガイド孔
４０  孔内面
４２  ガイドプレート
４６  ネジ軸
５３  ガイドプレートの上端側
５６  ボルト孔
５６ａ  長孔
５７  固定ボルト
６５  連結部
６９  連結部材
７６  中間床版
８９  下段の擁壁部
９６  中段の擁壁部
９８  接合部
１０９  上段の擁壁部
Ｇ  間隙
【図１】
2008150935.tif 000003
【図２】
2008150935.tif 000004
【図３】
2008150935.tif 000005
【図４】
2008150935.tif 000006
【図５】
2008150935.tif 000007
【図６】
2008150935.tif 000008
【図７】
2008150935.tif 000009
【図８】
2008150935.tif 000010
【図９】
2008150935.tif 000011
【図１０】
2008150935.tif 000012
【図１１】
2008150935.tif 000013
【図１２】
2008150935.tif 000014
【図１３】
2008150935.tif 000015
【図１４】
2008150935.tif 000016
【図１５】
2008150935.tif 000017
【図１６】
2008150935.tif 000018
【図１７】
2008150935.tif 000019
【図１８】
2008150935.tif 000020
【図１９】
2008150935.tif 000021
【図２０】
2008150935.tif 000022
【図２１】
2008150935.tif 000023
【図２２】
2008150935.tif 000024
【図２３】
2008150935.tif 000025
【図２４】
2008150935.tif 000026
【図２５】
2008150935.tif 000027
【図２６】
2008150935.tif 000028
【図２７】
2008150935.tif 000029
【図２８】
2008150935.tif 000030
【図２９】
2008150935.tif 000031
【図３０】
2008150935.tif 000032
【図３１】
2008150935.tif 000033
【図３２】
2008150935.tif 000034
【図３３】
2008150935.tif 000035
【図３４】
2008150935.tif 000036
【図３５】
2008150935.tif 000037
【図３６】
2008150935.tif 000038
【図３７】
2008150935.tif 000039
【図３８】
2008150935.tif 000040
【図３９】
2008150935.tif 000041
【図４０】
2008150935.tif 000042
【図４１】
2008150935.tif 000043
【図４２】
2008150935.tif 000044
【図４３】
2008150935.tif 000045
【図４４】
2008150935.tif 000046
【図４５】
2008150935.tif 000047
【図４６】
2008150935.tif 000048
【図４７】
2008150935.tif 000049
【図４８】
2008150935.tif 000050
【図４９】
2008150935.tif 000051
【図５０】
2008150935.tif 000052
【図５１】
2008150935.tif 000053
【図５２】
2008150935.tif 000054
【図５３】
2008150935.tif 000055
【図５４】
2008150935.tif 000056
【図５５】
2008150935.tif 000057
【図５６】
2008150935.tif 000058
【図５７】
2008150935.tif 000059
【図５８】
2008150935.tif 000060
【図５９】
2008150935.tif 000061